(57)【要約】  中継器（１）およびその集積回路（２）内で、インベントリを通信局内で作成するためのインベントリ作成プロセスを制御するためのプロセス制御回路（１４）が供給され、そのプロセス制御回路（１４）は、ハッシュ値（ＨＶ）を使用することによって、および、区別データセット（ＳＮ）の部分（バイトｘ）を使用することによって、伝送パラメータ好ましくは時間スロットを選択する伝送パラメータ選択手段（３１）を含み、ハッシュ値（ＨＶ）の生成は中継器（１）内またはその集積回路（２）内で起こる。
2007528136.tif 000002
【特許請求の範囲】
【請求項１】
中継器または前記中継器内に含まれた集積回路を通信局内のインベントリ内に置く方法であって、インベントリ作成プロセスは前記中継器内またはその集積回路内で活性化され、そのインベントリ作成プロセスでは、前記中継器またはその集積回路の区別データセットは前記中継器またはその集積回路の格納手段内に格納され、前記中継器またはその集積回路のための特徴を示し、その区別データセットの部分は、ハッシュ値を使用することによって前記格納手段から読み取られ、そのインベントリ作成プロセスでは、伝送パラメータは伝送パラメータの組から、前記区別データセットから読み取られた前記部分を使用することによって選択され、そのインベントリ作成プロセスでは、前記中継器またはその集積回路のための識別データセットは、前記中継器またはその集積回路のための特徴を示し、前記中継器またはその集積回路をインベントリ内に前記置くことのために意図され、前記中継器またはその集積回路から前記通信局へ、前記選択された伝送パラメータを使用することによって伝送され、前記ハッシュ値は前記中継器内またはその集積回路内で、前記中継器内またはその集積回路内で供給されるハッシュ値生成手段によって生成されることを特徴とする方法。
【請求項２】
前記インベントリ作成プロセス内で、時間スロットは時間スロット・シーケンスから、読み出されている前記区別データセットの前記部分を使用することによって選択されること、および、前記インベントリ作成プロセス内で、前記中継器またはその集積回路のための前記識別データセットは前記中継器またはその集積回路から前記通信局へ、前記選択された時間スロットを使用することによって伝送されることを特徴とする請求項１記載の方法。
【請求項３】
前記ハッシュ値は、前記中継器内またはその集積回路内で供給されたハッシュ値計数ステージによって生成されることを特徴とする請求項１記載の方法。
【請求項４】
前記ハッシュ値計数ステージは、前記中継器内またはその集積回路内の電源オン・リセットの後に、プリセットされた開始ハッシュ値に設定されることを特徴とする請求項３記載の方法。
【請求項５】
前記ハッシュ値は、前記中継器内またはその集積回路内で供給された乱数生成器によって生成されることを特徴とする請求項１記載の方法。
【請求項６】
中継器のための集積回路であって、その集積回路は、前記集積回路または前記集積回路を含む前記中継器を通信局内のインベントリ内に置くためのインベントリ作成プロセスを制御するために意図されるプロセス制御手段を含み、その集積回路は、第１に、前記集積回路または前記集積回路を含む前記中継器の区別データセットを格納するために意図され、その区別データセットは前記集積回路または前記集積回路を含む前記中継器のための特徴を示し、第２に、前記集積回路または前記集積回路を含む前記中継器の識別データセットを格納するために意図され、その識別データセットは前記集積回路または前記集積回路を含む前記中継器のための特徴を示し、前記集積回路または前記集積回路を含む前記中継器をインベントリ内に置くために意図される、格納手段を含み、その集積回路は、第１に、ハッシュ値を使用することによって前記格納手段から読み取られる前記区別データセットの部分を受信するため、および、第２に、伝送パラメータを伝送パラメータの組から、受信されている前記区別データセットの前記部分を使用することによって選択するために意図される、伝送パラメータ選択手段を含み、その選択された伝送パラメータは前記集積回路から前記通信局へ、前記集積回路または前記集積回路を含む前記中継器をインベントリ内に置くために意図される前記識別データセットを伝送するために適しており、前記ハッシュ値を生成するためのハッシュ値生成手段が前記集積回路内で供給されることを特徴とする回路。
【請求項７】
前記集積回路は、伝送パラメータ選択手段として、時間スロット選択手段を含み、その時間スロット選択手段は、時間スロットを時間スロット・シーケンスから選択するように設計され、その選択された時間スロットは、前記集積回路から前記通信局へ、前記集積回路または前記集積回路を含む前記中継器をインベントリ内に前記置くことのために意図された前記識別データセットを伝送するために適していることを特徴とする請求項６記載の回路。
【請求項８】
前記集積回路内で供給された前記ハッシュ値生成手段は、ハッシュ値計数ステージの助けと共に実施されることを特徴とする請求項６記載の回路。
【請求項９】
電源オン・リセット信号を電源オン・リセットで生成するように設計され、前記ハッシュ値計数ステージと協調する電源オン・リセット回路が供給されること、および、前記ハッシュ値計数ステージは、前記電源オン・リセット信号によって開始ハッシュ値に設定されることが可能であることを特徴とする請求項８記載の回路。
【請求項１０】
前記集積回路内で供給された前記ハッシュ値生成手段は、乱数生成器の助けと共に実施されることを特徴とする請求項６記載の回路。
【請求項１１】
請求項６〜１０のいずれかに記載の集積回路が設けられたことを特徴とする中継器。
【発明の詳細な説明】
【技術分野】
【０００１】
本発明は、中継器または中継器内に含まれた集積回路を通信局内のインベントリ内に置く方法に関し、インベントリ作成プロセスは中継器内またはその集積回路内で活性化され、そのインベントリ作成プロセスでは、中継器またはその集積回路の区別データセットは中継器またはその集積回路の格納手段内に格納され、中継器またはその集積回路の特徴を示し、その区別データセットの部分は、ハッシュ値を使用することによって格納手段から読み取られ、そのインベントリ作成プロセスでは、伝送パラメータは伝送パラメータの組から、区別データセットから読み取られた部分を使用することによって選択され、そのインベントリ作成プロセスでは、中継器またはその集積回路のための識別データセットは、中継器またはその集積回路の特徴を示し、中継器またはその集積回路をインベントリ内に置くことのために意図され、中継器またはその集積回路から通信局へ、選択された伝送パラメータを使用することによって伝送される。
【０００２】
本発明はさらに中継器のための集積回路に関し、その集積回路は、集積回路または集積回路を含む中継器を通信局内のインベントリ内に置くためのインベントリ作成プロセスを制御するために意図されるプロセス制御手段を含み、その集積回路は、第１に、集積回路または集積回路を含む中継器の区別データセットを格納するために意図され、その区別データセットは集積回路または集積回路を含む中継器の特徴を示し、第２に、集積回路または集積回路を含む中継器のための識別データセットを格納するために意図され、その識別データセットは集積回路または集積回路を含む中継器の特徴を示し、集積回路または集積回路を含む中継器をインベントリ内に置くことのために意図される、格納手段を含み、その集積回路は、第１に、ハッシュ値を使用することによって格納手段から読み取られる区別データセットの部分を受信するため、および、第２に、伝送パラメータを伝送パラメータの組から、受信されている区別データセットの部分を使用することによって選択するために意図される、伝送パラメータ選択手段を含み、その選択された伝送パラメータは集積回路から通信局へ、集積回路または集積回路を含む中継器をインベントリ内に置くために意図される識別データセットを伝送するために適している。
【０００３】
本発明はさらに、上の第２の段落内で指定されたような設計の集積回路を有する中継器に関する。
【背景技術】
【０００４】
上の第１の段落内で指定された種類の方法を実行するのに適している、上の第２の段落内で指定された設計の集積回路を有する中継器は、特許文献ＷＯ２０００／０４４８５Ａ１から知られる。中継器または中継器内に含まれた集積回路をインベントリ内に置くための方法によって、この中継器はもちろん、そのインベントリが通常の操作の過程内で作成されるただ単一の中継器ではなく、複数の中継器、すなわち、通信局の通信域内に存在するすべての中継器である。１００個を超えるこのような中継器がこの場合にあることがある。既知の設計では、通信局内で生成されたハッシュ値は、そのハッシュ値があらゆる中継機内で使用可能であることを保証するために、インベントリ内に置かれるべきである各中継器に伝送されなければならない。通信局から中継器へのハッシュ値の伝送はある量の時間を取り、この時間は、インベントリ作成プロセスのための比較的長い合計伝送時間内で反映される。さらには、通信局から中継器へのハッシュ値の伝送は、ハッシュ値を表現するデータ・ブロックによって決定される追加の変調ステップを要する。これらの変調ステップは、側波帯を伝送周波数スペクトル内で作り出し、これらの側波帯は、当局によって定められた規則に関して問題を起こすことがあり、また、この問題も望ましくない。
【発明の開示】
【発明が解決しようとする課題】
【０００５】
本発明の目的は、上で概説された逆境を回避すること、および、中継器をインベントリ内に置くための改良された方法、および、改良された集積回路および改良された中継器を供給することである。
【課題を解決するための手段】
【０００６】
上の目的が達成されることを可能とするために、本発明による特徴は本発明による方法内で供給され、したがって、本発明による方法は、後述されるように特徴付けられることが可能にされ、すなわち、以降の通りである。
【０００７】
中継器または中継器内に含まれた集積回路をインベントリ内に置く方法であって、インベントリ作成プロセスは中継器内またはその集積回路内で活性化され、そのインベントリ作成プロセスでは、中継器またはその集積回路の区別データセットは中継器またはその集積回路の格納手段内に格納され、中継器またはその集積回路のための特徴を示し、その区別データセットの部分は、ハッシュ値を使用することによって格納手段から読み取られ、そのインベントリ作成プロセスでは、伝送パラメータは伝送パラメータの組から、区別データセットから読み取られた部分を使用することによって選択され、そのインベントリ作成プロセスでは、中継器またはその集積回路のための識別データセットは、中継器またはその集積回路のための特徴を示し、中継器またはその集積回路をインベントリ内に置くことのために意図され、中継器またはその集積回路から通信局へ、選択された伝送パラメータを使用することによって伝送され、ハッシュ値は中継器内またはその集積回路内で、中継器内またはその集積回路内で供給されるハッシュ値生成手段によって生成されることが特徴とされる。
【０００８】
上の目的が達成されることを可能とするために、本発明による特徴は中継器のための集積回路内で供給され、したがって、本発明による集積回路は、後述されるように特徴付けられることが可能にされ、すなわち、以降の通りである。
【０００９】
中継器のための集積回路であって、その集積回路は、集積回路または集積回路を含む中継器を通信局内のインベントリ内に置くためのインベントリ作成プロセスを制御するために意図されるプロセス制御手段を含み、その集積回路は、第１に、集積回路または集積回路を含む中継器の区別データセットを格納するために意図され、その区別データセットは集積回路または集積回路を含む中継器のための特徴を示し、第２に、集積回路または集積回路を含む中継器の識別データセットを格納するために意図され、その識別データセットは集積回路または集積回路を含む中継器のための特徴を示し、集積回路または集積回路を含む中継器をインベントリ内に置くために意図される、格納手段を含み、その集積回路は、第１に、ハッシュ値を使用することによって格納手段から読み取られる区別データセットの部分を受信するため、および、第２に、伝送パラメータを伝送パラメータの組から、受信されている区別データセットの部分を使用することによって選択するために意図される、伝送パラメータ選択手段を含み、その選択された伝送パラメータは集積回路から通信局へ、集積回路または集積回路を含む中継器をインベントリ内に置くために意図される識別データセットを伝送するために適しており、ハッシュ値を生成するためのハッシュ値生成手段が集積回路内で供給されることが特徴とされる。
【００１０】
上の目的が達成されることを可能とするために、本発明による中継器は、本発明による集積回路に適合される。
【００１１】
回路に関して単純な方法で、および、中継器ごとの少額の余分なコストのみで、本発明による特徴の供給によって達成されるものは、中継器をインベントリ内に置くために中継器内で必要とされたハッシュ値が中継器自体内で直接生成されることであり、このことは、ハッシュ値が通信局から中継器へ伝送されるための必要がないことを意味する。このように達成されるものは、本発明による中継器をインベントリ内に置くためのインベントリ作成プロセスのための合計伝送時間が、従来技術の解決策における合計伝送時間より短いことである。さらには、より少数の変調ステップと共に管理することが可能であり、その結果、従来技術の解決策よりも小さい側波帯が生じる。
【００１２】
本発明による中継器内のインベントリ作成プロセスの活性化に関して、この活性化は、通信局から中継器へ伝送されたコマンドによって有利に実行されることに言及されるべきである。しかし、供給はまた、インベントリ作成プロセスの活性化が、本発明による中継器が通信局の通信域に持ち込まれる結果として実行されるために行われることもあり、その場合、インベントリ作成プロセスは次いでこの通信域内で有力な電磁場によって活性化される。
【００１３】
中継器のメモリ内に格納される、本発明による中継器のための特徴を示す区別データセットに関して、この区別データセットは好ましくは中継器の通し番号であることに言及されるべきである。区別データセットはまた、しかし、いわゆるユーザー・データセットでも良い。
【００１４】
本発明による中継器のための特徴を示し、中継器をインベントリ内に置くことのために意図している、識別データセットに関して、この識別データセットは好ましくは区別データセットと同じものであることに言及されるべきである。識別データセットおよび区別データセットはまた、しかし、互いに異なっても良い。
【００１５】
本発明による解決策では、伝送パラメータの組は、それらの符号化規則について異なる、ある数の符号化のタイプを備えることがある。伝送パラメータの組はまた、それらの周波数について異なる、ある数の２次搬送波信号を備えることもある。これに関しては、例えば、２つの特許文献ＷＯ２００３／０４２，９１４Ａ１およびＷＯ２００３／０９１，０３８Ａ１に参照が行われても良く、これらの特許文献の開示はこれによって参照により本文書内に組み込まれる。また、それ自体が知られており、与えられた識別データセットの伝送が休止区分によって互いに分離される時間間隔内で起こる、中継器システム内で、これらの休止区分の長さが、本発明によれば、選択可能伝送パラメータとして使用されること、および、各場合に、中継器内で生成されるハッシュ値およびハッシュ値によって定められる格納された区別値の部分を使用することによって、この長さが選択または定められることも可能である。しかし、加えて、各場合において、請求項２および請求項７に記載された特徴が本発明による解決策において供給される場合、特に有利であると判明している。この種類の解決策では、支援するために時間スロットのシーケンス内の時間スロットが使用され、この種類の解決策は、回路に関して単純である解決策が可能になるという重要な利点を提供し、この利点は集積技術における製造のために大変重要である。また、このように達成され、利点であるものは、選択可能である伝送パラメータに関して、および、したがって伝送のためのオプションに関して、大きい柔軟性が得られることであり、この利点は、非常に多数の選択された伝送パラメータ、すなわち時間スロットが供給されること、および、選択可能伝送パラメータ、すなわち時間スロットにおいて作用されること、すなわち、ある時間スロットが例えば短縮または抑制さえされることが可能であるためである。
【００１６】
加えて、各場合において、請求項３および請求項８に記載される特徴が本発明による解決策において供給される場合、本発明による解決策において特に有利であると判明している。これらの解決策は、回路に関して可能な限り単純である構成に関して有利であることが判明している。さらなる利点は、この解決策が、デッドロック状況と呼ばれるものを回避することを可能にすることであり、デッドロック状況では、不都合なハッシュ値の結果として、少なくとも２つの中継器が望まれた長さの時間スパン内で、またはまったくインベントリ内に置かれることが可能でない状況が発生することがある。
【００１７】
本発明による解決策では、加えて、各場合において、請求項４および請求項９に記載された特徴が本発明による解決策において供給される場合、特に有利であると判明している。この種類の解決策はまた、いわゆるデッドロック状況の回避に関して高く有利として見なされることも可能である。
【００１８】
しかし、本発明による解決策では、加えて、各場合において、請求項５および請求項１０に記載された特徴が本発明による解決策において供給される場合もまた、特に有利であると判明している。このように達成され、利点であるものは、異なる開始ハッシュ値が通信局との通信接続における各中継器内で生成されるであろう、非常に高い確率があること、およびその結果として、区別データセットの部分から読み出すために異なるメモリ・エリアがアクセスされるようになること、およびその結果として、異なる伝送パラメータ、すなわち異なる時間スロットが定められるようになる可能性が非常に高いことである。
【００１９】
本発明のこれらおよび他の態様は、後述される実施形態から明らかであり、後述される実施形態を参照して解明されるであろうが、本発明はこれらの実施形態に限定されると見なされるべきではない。
【００２０】
図面は、以降の通りである。
【発明を実施するための最良の形態】
【００２１】
図１は、集積回路２を含み、通信局（図示せず）との非接触通信のために設計される、中継器１を示す。中継器１は、例えば、ビデオ・レコーダ、テレビ、缶詰食品の缶、または市場で入手可能な多数の他の製品など、このような製品が容易に認識、すなわち識別されることを可能とするため、および、例えば前記製品がさらに自動的に処理されることを可能とするために、製品への接続のために意図および設計される。
【００２２】
通信局との非接触通信のため、中継器１は、集積回路２の端子４および５に接続される伝送コイル３を有する。伝送コイル３に接続されるものは、集積回路２内に含まれたキャパシタ６であり、そのキャパシタ６は伝送コイル３と共に発振器回路７を形成し、発振器回路７は、搬送波信号ＣＳの周波数と実質的に調和する動作周波数に同調させられ、その周波数は伝送プロセス内で発生する。伝送コイルよりもむしろ、双極子もまた伝送の手段として供給されることもあり、双極子は、伝送が高周波数範囲、例えばＭＨｚ範囲またはＧＨｚ範囲内で起こるとき、特に有利である。容量的に動作する伝送の手段もまた、通信局との非接触通信のために供給されることもある。
【００２３】
中継器１への信号およびコマンドの伝送は、搬送波信号ＣＳの助けと共に起こり、これらの信号およびコマンドは中継器１へ、変調されずに、または変調されて、および好ましくは振幅変調されて、のいずれかで伝送されることがある。中継器１から通信局への信号およびコマンドの伝送は、通信局によって発せられた変調されない搬送波信号ＣＳのいわゆる負荷変調によって実行される。
【００２４】
集積回路２の第１の端子４に、およびしたがって発振器回路７に接続されるものは、以降に列挙された回路であり、すなわち、第１に電源電圧生成回路８、第２にクロック信号再生回路９、第３に復調回路１０、および、第４に変調回路１１である。
【００２５】
電源電圧生成回路８によって、発振器回路７によって受信される、および、前記発振器回路７からピック・オフされることが可能である信号を使用することによって、電源電圧Ｖが生成されることが可能であり、電源電圧Ｖは、前記電源電圧Ｖを必要とする集積回路２のすべてのこれらの要素に供給される。さらには、電源電圧Ｖはまた電源オン・リセット回路１２にも供給され、電源オン・リセット回路１２によって、電源オン・リセット信号ＰＯＲが、長く知られている方法で生成および発せられることが可能であり、この電源オン・リセット信号ＰＯＲは、十分に高い電源電圧Ｖが使用可能であるとき、生成および発せられる。
【００２６】
クロック信号再生回路９によって、クロック信号ＣＬＫが再生されることが可能であり、クロック信号ＣＬＫは、通信局内で使用可能であり、通信局から中継器１へ伝送された信号の助けと共に中継器１へ伝送され、このことは、再生されたクロック信号ＣＬＫがクロック信号再生回路９の出力で使用可能であることを意味する。この種類のクロック信号再生回路９よりもむしろ、また供給されることもあるものは、受信された信号とは独立に動作するクロック信号再生回路であり、通信局と中継器１の間の通信が非常に高い周波数範囲、すなわちＭＨｚ範囲内またはＧＨｚ範囲内で起こるとき、特に行われる供給である。
【００２７】
中継器１に送信され、伝送コイル３によって受信される、変調され符号化された信号は、復調回路１０の助けと共に復調されることが可能である。この場合、特殊な信号、すなわち、変調され符号化されたインベントリ作成コマンドＭＣＩＮＶＣＯに参照が行われるようになる。例えば、読み取りコマンド、書き込みコマンド、肯定応答コマンド、スイッチ・オフ・コマンド、および多数の他のコマンドなど、複数の他の信号ももちろんまた、復調回路１０の助けと共に復調されることが可能である。復調回路１０に供給されるものは、したがって、例えば、変調され符号化されたインベントリ作成コマンドＭＣＩＮＶＣＯなど、変調され符号化された信号であり、復調動作を実行すると、復調回路１０は、例えば、符号化されたインベントリ作成コマンドＭＣＩＮＶＣＯなど、符号化された信号を発する。与えられた場合に復調されている、なお符号化された信号、例えば、符号化されたインベントリ作成コマンドＣＩＮＶＣＯなどは、復号回路１３に供給され、復号回路１３は、与えられた場合に復号回路１３に供給される符号化された信号、例えば、符号化されたインベントリ作成コマンドＣＩＮＶＣＯなどを復号するために意図され、その復号回路（１３）は、復号が起こった後、復号された信号、例えば、インベントリ作成コマンドＩＮＶＣＯなどを発する。
【００２８】
インベントリ作成コマンドＩＮＶＣＯは、中継器１、または中継器１内に含まれた集積回路２を、通信局内のインベントリ内に置く方法の過程で、インベントリ作成プロセスを活性化するために使用される。インベントリ作成プロセスを制御するため、集積回路２は、プロセス制御手段、すなわち、プロセス制御回路１４を含み、プロセス制御回路１４は、この場合、配線された論理回路によって形成される。プロセス制御回路１４はまた、しかし、マイクロコンピュータの助けと共に実施されることもある。接続１５を介してプロセス制御回路１４に接続されるものは、集積回路２内に含まれた格納手段１６である。格納手段１６は、集積回路２、または集積回路２を含む中継器１のための区別データセットを格納するために使用され、その区別データセットは、集積回路２または集積回路２を含む中継器１の特徴を示し、および、集積回路２または集積回路２を含む中継器１のための識別データセットを格納するために使用され、その識別データセットは、集積回路２または集積回路２を含む中継器１の特徴を示し、集積回路２または集積回路２を含む中継器をインベントリ内に置くことのために意図される。この場合、区別データセットおよび識別データセットは同じであり、通し番号ＳＮによって形成され、その通し番号ＳＮはｎバイト、すなわち、「バイト１」、．．．．．．「バイトｘ」、．．．．．．．．．．．「バイトｎ」と指定されたバイトを備える。
【００２９】
また、格納手段１６内に格納されるものは、ユーザー・データＵＳＤである。ユーザー・データは複数のバイト、すなわち、「バイトｎ＋１、．．．．．．．「バイトｍ」を備える。ユーザー・データＵＳＤは、製品の価格、製品の製造者、製品の推奨された賞味期限、および、その上多くの他のものに関係するデータでも良い。
【００３０】
また、格納手段１６内に格納されるものは、さらなるデータＦＵＤであり、そのさらなるデータＦＵＤはさらなるバイト、すなわち、上述されたバイト「バイトｍ」からバイト「バイトｚ」までの連続を備える。
【００３１】
プロセス制御回路１４によって複数の手段および機能が実施され、それらの手段および機能のうち、この場合に本質的であるもののみが、詳細に述べられるであろう。プロセス制御回路１４は、時間スロット計算ステージ１７、時間スロット計数ステージ１８、および、時間スロット計算ステージ１７および時間スロット計数ステージ１８と協調する比較器ステージ１９を含む。プロセス制御回路１４はまた、ハッシュ値計数ステージ２０をも含み、プロセス制御回路１４はさらに、識別データセット生成ステージ２１を含む。上で箇条書きされたステージ１７、１８、１９、２０および２１のタスクおよび動作の方法は、以降で詳細に考察されるであろう。
【００３２】
電源オン・リセット信号ＰＯＲは、すなわち、いわゆる電源オン・リセットを実行するために、プロセス制御回路１４に入力２２で供給されることが可能である。またプロセス制御回路１４に入力２３で供給されることが可能であるものは、再生されたクロック信号ＣＬＫであり、プロセス制御回路１４をクロックするためである。
【００３３】
プロセス制御回路１４はまたさらなる入力２４、さらなる入力２５および出力２６をも有し、その目的は以降で詳細に考察されるであろう。入力２４の上流に接続されるものはコマンド検出回路２７であり、そのコマンド検出回路２７は復号回路１３の下流に接続される。復号回路１３によって発せられたコマンド、例えば、インベントリ作成コマンドＩＮＶＣＯなどは、コマンド検出回路２７によって認識されることが可能である。この種類のインベントリ作成コマンドＩＮＶＣＯは復号回路１３によって発せられ、コマンド検出回路２７に供給され、このことが有する結果は、コマンド検出回路２７が第１の制御信号ＣＳ１を発し、第１の制御信号ＣＳ１をプロセス制御回路１４へ、入力２４を介して供給することである。
【００３４】
入力２５の上流に接続されるものは時間スロット検出回路２８であり、その時間スロット検出回路２８は同じく復号回路１３の下流に接続される。時間スロット・シーケンス内で互いに続く時間スロットは、時間スロット検出回路２８によって検出されることが可能である。この場合、通信局１によって定められた時間スロット・シーケンス内で互いに続く時間スロットは、少数の短い分離パルスを備える分離パルス・シーケンスによって、互いから分離される。これらの分離パルスのシーケンスは、時間スロットを検出するために使用される。このために、通信局によって中継器１へ、およびしたがって集積回路２へ伝送された信号は、復調および復号された後で、時間スロット検出回路２８に供給され、その時間スロット検出回路２８は、各分離パルス・シーケンスの発生を検出し、したがって、各場合で分離パルス・シーケンスの後に続く時間スロットを検出する。分離パルス・シーケンス、および、故に各場合で検出される分離パルス・シーケンスの後に続く時間スロットが検出されるたびに、時間スロット検出回路２８は第２の制御信号ＣＳ２を発し、第２の制御信号ＣＳ２はプロセス制御回路１４へ、入力２５を介して供給される。しかし、また、別の解決策が供給されることも可能であり、この解決策では、時間スロット・シーケンスがインベントリ作成コマンドＩＮＶＣＯに応じて開始され、時間スロット・シーケンスは、固定されたプリセットされた時間スパンの各時間スロットを備え、その場合、次いで、時間スロットの時間スパンが終了するたびごとに、次の時間スロットへの転送が行われ、第２の制御信号ＣＳ２が生成される。この場合であるとき、ある時間スロットから次の時間スロットへの同期されたスイッチ・オンは、通信局との通信接続におけるすべての中継器内で起こる。
【００３５】
プロセス制御回路１４の出力２６に接続されるものは符号化回路２９であり、符号化回路２９は、符号化回路２９に供給された信号を符号化するように設計および意図される。この場合に、符号化回路２９に供給されることが可能である信号として指定されるものは、識別データセットＩＤＤＳである。符号化回路２９に接続されるものは２次搬送波生成回路３０であり、２次搬送波生成回路３０に、クロック信号再生回路９によって再生されたクロック信号ＣＬＫが供給され、２次搬送波生成回路３０によって副搬送波信号ＳＣＳが生成されることが可能であり、副搬送波信号ＳＣＳは符号化回路２９に供給される。２次搬送波生成回路３０は本質的に周波数分周器ステージを備え、周波数分周器ステージは、その下流に接続された信号成形手段を有する。符号化回路２９内で、符号化回路２９に供給された信号、すなわち、例えば識別データセットＩＤＤＳは、２次搬送波信号ＳＣＳを使用して符号化され、その後、符号化回路２９は、符号化された信号、すなわち、例えば符号化された識別データセットＣＩＤＤＳを発する。
【００３６】
符号化回路２９の下流に接続されるものは変調回路１１であり、変調回路１１は、変調回路１１に供給された、符号化された信号、すなわち、符号化された識別データセットＣＩＤＤＳを変調することに対して責任を有し、変調回路１１は、変調の後、変調され符号化された信号、すなわち、例えば変調され符号化された識別データセットＭＣＩＤＤＳを伝送コイル３へ、通信局への伝送のために伝送する。
【００３７】
中継器１または中継器１内に含まれた集積回路２を通信局１内のインベントリ内に置く方法は、詳細に後述されるであろう。
【００３８】
中継器１をインベントリ内に置くための方法の過程で、インベントリ作成プロセスを活性化するため、通信局（図示せず）はインベントリ作成コマンドＩＮＶＣＯを発する。シーケンスを継続するため、後述されるインベントリ作成プロセスが実行される。この点でも、以前に活性化されたインベントリ作成プロセスがいったん実行されると、中継器１をインベントリ内に置くことが発生していない場合が起こることがあり、この場合は、少なくとも１つの他の中継器がその識別データセットを通信局１に同じ時間スロット内で伝送したために発生しており、この結果、クラッシュと呼ばれるものが生じ、クラッシュは通信局１で検出されたことに、言及されるべきである。この場合のとき、新しいインベントリ作成プロセスは、通信局によって発せられたさらなるインベントリ作成コマンドＩＮＶＣＯの助けと共に活性化および実行される。
【００３９】
通信局によるインベントリ作成コマンドＩＮＶＣＯの発出の後、インベントリ作成コマンドＩＮＶＣＯは中継器１によって受信され、中継器１内で、コマンド検出回路２７によって認識される。このことが起こる結果として、コマンド検出回路２７は第１の制御信号ＣＳ１をプロセス制御回路１４の入力２４に伝送する。第１の時間スロットもまた、時間スロット検出回路２８によって検出される。このことが起こる結果として、時間スロット検出回路２８は制御信号ＣＳ２をプロセス制御回路１４の入力２５に伝送する。
【００４０】
第１の制御信号ＣＳ１は、時間スロット計算ステージ１７、時間スロット計数ステージ１８およびハッシュ値計数ステージ２０に供給される。第２の制御信号ＣＳ２は時間スロット計数ステージ１８に供給される。ハッシュ値計数ステージ２０はすでに、第１の制御信号ＣＳ１がハッシュ値計数ステージ２０に供給されるよりも前に、ハッシュ値計数ステージ２０に供給された電源オン・リセット信号ＰＯＲを有しており、その電源オン・リセット信号は、ハッシュ値計数ステージ２０内の計数ＨＶが開始ハッシュ値ＳＨＶに設定される結果となった。第１の制御信号ＣＳ１の、時間スロット計数ステージ１８への供給は、時間スロット計数ステージ１８内の計数が「０」の値に設定される結果となる。第２の制御信号ＣＳ２を時間スロット計数ステージ１８に供給する結果として、時間スロット計数ステージ１８内の計数が「１」の値だけ増大される。第１の制御信号ＣＳ１の、時間スロット計算ステージ１１への供給は、時間スロット計算ステージ１８が時間スロット数を計算するために活性化される結果となる。
【００４１】
いったんハッシュ値計数ステージ２０内の計数ＨＶが開始ハッシュ値ＳＨＶに設定されると、開始ハッシュ値ＳＨＶは格納手段１６へ、接続１５を介して供給される。開始ハッシュ値ＳＨＶは、この場合、ポインタとして知られるものを形成し、そのポインタは、区別データセット、すなわち、通し番号ＳＮの部分に印を付ける。この場合、開始ハッシュ値ＳＨＶがバイト「バイトｘ」に印を付けると仮定される。開始ハッシュ値ＳＨＶを使用することによって、この結果、このインベントリ作成プロセスでは、中継器１または中継器１内に含まれた集積回路２の通し番号ＳＮの「バイトｘ」部分が格納手段１６から読み取られ、接続１５を介して、時間スロット計算ステージ１７へ供給されることになる。格納手段１６から読み取られている通し番号ＳＮの「バイトｘ」部分を使用して、時間スロット計算ステージ１７は時間スロットの数を計算し、その時間スロット内で、中継器１の識別データセット、すなわち通し番号ＳＮは、通信局１へ伝送されるようになる。この場合、時間スロット計算ステージ１７は「バイトｘ」を使用することによって数「７」を計算すると仮定され、このことは、識別データセット、すなわち通し番号ＳＮが時間スロットのシーケンス内の７番目の時間スロット内で中継器１から通信局へ伝送されるようになることを意味する。この場合、時間スロット・シーケンスは合計で２５６の時間スロットを備えることに言及されるべきである。しかし、時間スロット・シーケンスはまた、１２８のみの時間スロット、またはある他の数の時間スロットを含むこともある。時間スロット計算ステージ１７によって計算された数「７」は、比較器ステージ１９に供給される。比較器ステージ１９はまた、時間スロット計数ステージ１８によって比較器ステージ１９に供給された、時間スロット計数ステージ１８内に含まれた計数、すなわち「１」の値をも有する。この結果、比較器１９が、比較器１９に供給された値内で不等（inquality）を発見することになる。この結果、次には、比較器ステージ１９が制御信号を識別データセット生成ステージ１２へ伝送しなくなる。インベントリ作成プロセスを継続するため、時間スロット検出回路２８は、次々に、連続する時間スロットの発生を検出し、その結果、新しい時間スロットが発生するたびに、第２の制御信号ＣＳ２が生成され、時間スロット計数回路１８へ供給されることになる。この結果、時間スロット計数ステージ１８内の計数が絶えず「１」の値によって上げられることになる。時間スロット計数ステージ１８内の計数が「７」に到達し、この計数が比較器ステージ１９に供給されるとすぐに、この結果、比較器ステージ１９は、時間スロット計算ステージ１７および時間スロット計数ステージ１８が「７」の値を比較器ステージ１９に供給中であること、すなわち、比較器ステージ１９に供給されるこれらの値が同じであることを発見することになり、その結果、比較器ステージ１９は第３の制御信号ＣＳ３を生成し、第３の制御信号ＣＳ３を識別データセット生成ステージ２１へ伝送することになる。この結果、識別データセット生成ステージ２１は活性化されることになる。この結果、次には、識別データセット、すなわち通し番号ＳＮは格納手段１６から読み取られ、接続１５を介して識別データセット生成ステージ２１に供給されることになる。識別データセット生成ステージ２１では、通し番号ＳＮはセキュリティデータにリンクされ、その後、識別データセット生成ステージ２１は次いで、識別データセットＩＤＤＳをプロセス制御回路１４へ、出力２６を介して伝送する。プロセスが継続するにつれて、識別データセットＩＤＤＳは符号化回路２９に供給され、符号化回路２９によって、２次搬送波信号ＳＣＳを使用することによって符号化され、その結果、符号化された識別データセットＣＩＤＤＳが形成されることになる。符号化された識別データセットＣＩＤＤＳは変調回路１１に供給され、変調回路１１は、変調に対して責任を有し、プロセスが継続するにつれて、変調され符号化された識別データセットＭＣＩＤＤＳを伝送コイル３へ、通信局１への伝送のために伝送する。中継器１のみがその識別データセットＩＤＤＳを通信局１へ、７番目の時間スロット内で伝送し、したがって、通信局は、この識別データセットＩＤＤＳを満足に検出すること、および故に、中継器１が通信局内のインベントリ内に置かれることが可能となるように識別データセットＩＤＤＳが処理されるようにするステップを取ることが、可能になると仮定されるであろう。
【００４２】
しかし、少なくとも１つの他の中継器がその識別データセットＩＤＤＳを通信局へ、図１内に示された中継器１と同じ時間スロット内、すなわち「７」と付番された時間スロット内で記述される例で伝送しているという、起こりうる事態が発生する場合、次いで、通信局によって受信された少なくとも２つの識別データセットＩＤＤＳの間でクラッシュがあるようになり、このクラッシュは通信局内で検出され、通信局が新しいインベントリ作成プロセスを活性化させる結果となり、この活性化を、通信局はインベントリ作成コマンドＩＮＶＣＯを再度発することによって行う。この結果、コマンド検出回路２７は新しい第１の制御信号ＣＳ１を発することになり、新しい第１の制御信号ＣＳ１はハッシュ値計数ステージ２０内の計数が「１」だけ増大されるようにし、このことは、ハッシュ値計数ステージ２０内の計数が「ＳＨＶ＋１」であることを意味する。第１の制御信号ＣＳ１の新しい発生はまた、時間スロット計数ステージ１８が「１」の計数にリセットされる結果にもなる。この結果、「バイトｘ＋１」と指定されたバイトが格納手段１６から「ＳＨＶ＋１」の計数により読み取られ、時間スロットの数が計算されるようにするために、時間スロット計算ステージ１７へ供給されることになる。
【００４３】
ここで記述される場合では、電源オン・リセット信号ＰＯＲの発生の後、同じ開始ハッシュ値ＳＨＶが、通信局との通信接続におけるすべての中継器内のハッシュ値計数ステージ内で設定されると仮定される。しかし、これは必ずしもそうである必要はなく、例えば、また、乱数生成器により生成される開始ハッシュ値ＳＨＶが、通信局との通信接続の状態にされる各中継器内で設定されることも可能であるからである。
【００４４】
上述されたものは、ハッシュ値計数ステージ２０内の計数が、第１の制御信号ＣＳ１の各新しい発生で、「１」の値だけ増大されることであった。これは必ずしもその場合である必要はなく、ハッシュ値計数ステージ２０内の計数が、第１の制御信号ＣＳ１の１つおきの発生のみで、または２つおきの発生のみで、「１」の値だけ増大される解決策もまた供給されることがある。
【００４５】
中継器１またはその集積回路２内で、時間スロット計算ステージ１７、時間スロット計数ステージ１８、比較器ステージ１９、およびハッシュ値計数ステージ２０は、時間スロットを時間スロットのシーケンスから選択するように設計される時間スロット選択手段３１を形成し、その選択された時間スロットは、中継器１またはその集積回路２をインベントリ内に置くために意図して、識別データセット、すなわち、通し番号ＳＮを中継器または集積回路２から通信局へ伝送するために適している。すなわち、これが意味することは、上述されたステージ１７、１８、１９および２０が伝送パラメータ選択手段、すなわち、ここで記述される場合では時間スロット選択手段３１を形成することであり、その伝送パラメータ選択手段は、格納手段１６からハッシュ値ＨＶを使用することによって読み取られる区別データセット、すなわち、通し番号ＳＮの「バイトｘ」部分を受信するために、および、伝送パラメータを伝送パラメータの組から、受信される区別データセット（通し番号ＳＮ）の「バイトｘ」部分を使用することによって選択するために設計される。この場合、選択された伝送パラメータ、すなわち、選択された時間スロットは、中継器１またはその集積回路２をインベントリ内に置くことのために意図された、中継器１またはその集積回路２から通信局への、識別データセット（通し番号ＳＮ）の伝送のために適している。
【００４６】
本発明によれば、他の伝送パラメータ選択手段もまた中継器内に供給されることがあり、その場合、伝送パラメータは次いで伝送パラメータのプリセットされた組からハッシュ値に応じて選択されることに言及されるべきである。伝送パラメータ選択手段は、例えば、２次搬送波信号をハッシュ値に応じて、および、区別データセット（通し番号ＳＮ）の「バイトｘ」部分に応じて選択することがあり、その場合、２次搬送波生成回路３０は次いで、２次搬送周波数について異なる複数の２次搬送波信号を生成するように設計され、伝送パラメータ選択手段は、その時間で選択されている、与えられた周波数の副搬送波信号が選択されるように、および、符号化回路２９に供給されるようにするために、制御アクションを２次搬送波信号生成回路３０内で用いる。また、符号化回路２９が供給されることも可能であり、この符号化回路２９と共に、それらの符号化規則について異なる符号化のタイプが実行されることが可能であり、その場合、伝送パラメータ選択手段、すなわち、符号化選択手段は次いで、制御する方法でこの種類の符号化回路と協調するようになる。これらの符号化選択手段は次いで、ハッシュ値ＨＶに応じて、および、区別データセット（通し番号ＳＮ）の「バイトｘ」部分に応じて、与えられた種類の符号化を実行するようになる。
【００４７】
上述された本発明による中継器または本発明による集積回路のすべての変形実施形態では、ハッシュ値生成手段が中継器またはその集積回路内に含まれるという実質的な利点が存在し、このことは、中継器内またはその集積回路内で必要とされるハッシュ値の生成が中継器またはその集積回路自体内で実行されることが可能であり、そのため、この種類のハッシュ値が通信局から中継器へ伝送される必要がないことを意味する。
【図面の簡単な説明】
【００４８】
【図１】本発明の一実施形態による、中継器の部分およびこの中継器に属する集積回路のブロック回路図の形態における概略図であり、その部分は現在の接続において本質的である図である。
【図１】
2007528136.tif 000003
【国際調査報告】
2007528136.tif 000004
2007528136.tif 000005